(57)【要約】      （修正有）【課題】送風の向きの方向付けを角度を付して自在に変えて、室内空気を目的に応じて効果的に還流せしめると同時に、脱臭剤等を吸気口に保持しやすくして室内空気の清浄効果を高めることが出来る室内空気還流機の提供。【解決手段】可傾保持台Ａに、内部に送風機５を支持し、上面に送風筒６を載置保持した送風機枠７の側面に対象的に設けたねじ軸８を、軸穴３に挿通して蝶ナット４で螺締することにより、送風筒６を、可傾保持台に対して所望の角度に傾斜保持するようにし、送風機枠の下面に、棕櫚等のろ過材からなる塵埃除去凾９を止め金１０で着脱自在に掛合せしめ、塵埃除去凾の内部には、臭気や浮遊塵埃を吸着する軽量の木炭粒等を充填し、脱臭剤１２等を封入する棕櫚袋１１を収納するようにした。【選択図】図１
0003115265.tif 000002
【実用新案登録請求の範囲】
【請求項１】
冷暖房された室内温度を均一化する送風筒を有する室内空気還流機を、床面に上向きに設置出来ることは勿論、天井や側壁等にも固定できる可傾保持台に可傾自在に保持することにより、送風の向きの方向付けを角度を付して自在に変えて、室内空気を目的に応じて効果的に還流せしめると同時に、脱臭剤等を吸気口に保持しやすくして室内空気の清浄効果を高めたものであって、台枠（１）に突設固定した一対の三角保持枠（２），（２）と当該三角保持枠の頂部に穿設した軸穴（３），（３）に挿通するねじ軸用の蝶ナット（４），（４）からなる可傾保持台（Ａ）に、内部に送風機（５）を支持し、上面に送風筒（６）を載置保持した送風機枠（７）の側面に対象的に設けたねじ軸（８）（８）を、前記軸穴（３），（３）に挿通して蝶ナット（４），（４）で螺締することにより、送風筒（６）を有する送風機枠（７）を、可傾保持台（Ａ）に対して所望の角度に傾斜保持するようにすると共に、送風機枠（７）の下面に、上面が開放され周囲壁と底面が、棕櫚等のろ過材からなる塵埃除去凾（９）を止め金（１０）で着脱自在に掛合せしめ、麈埃除去凾（９）の内部には、臭気や浮遊塵埃を吸着する軽量の木炭粒等を充填し、脱臭剤（１２）等を封入する棕櫚袋（１１）を収納するようにした可傾保持台を有する温度均一清浄化用の室内空気還流機の構造。
【考案の詳細な説明】
【技術分野】
【０００１】  本考案は、冷暖房された室内温度を均一化する送風筒を有する室内空気還流機を、天井，壁，床等あらゆる面に固定できる可傾保持台に可傾自在に保持することが出来る可傾保持台を有する温度均一清浄化用の室内空気還流機に関する。
【背景技術】
【０００２】  例えば暖房時に、上昇して天井付近に滞留する温暖空気と床面付近の低温空気との室内の温度むらをなくすため、従来は、天井の数個所に送風機を下向きに設置して、天井付近の温暖空気を吸気して床面に向けて送風し、室内空気を還流する室内空気の均一方法が提案されている。（例えば、特許文献１を参照）
【特許文献１】特許第３０３２８８６号公報
【考案の開示】
【考案が解決しようとする課題】
【０００３】  特許文献１のものは、モーターにより羽根車が回転する送風機の、吸気側の周囲から吸い込んだ天井付近の温暖空気を、送風筒により下方に向けて送り出し、その送風圧によって床面まで到達させ、これを上昇気流に変えて室内空気を還流循環せしめるものである。【０００４】  送風機は、吸気側の吸気口を必要とし、天井面か天井面裏に形作る空間部にすき間を保って取り付けることになり、モーターの電気配線も含めた天井面の工作と取り付け工事を伴い、手間と費用がかかり、一旦設置すると局部的に冷房又は暖房される領域が偏在しても、これを解消するための容易な移設は困難である。【０００５】  しかも美麗に仕上げた室内天井を傷つけたり、天井の数か所に異物が突設されることになり、見栄えが悪く、室内インテリヤの観点からも問題点が多かった。
【課題を解決するための手段】
【０００６】  本考案は、冷暖房された室内温度を均一化する送風筒を有する室内空気還流機を、床面に上向きに設置出来ることは勿論、天井や側壁等にも固定できる可傾保持台に可傾自在に保持することにより、送風の向きの方向付けを角度を付して自在に変えて、室内空気を目的に応じて効果的に還流せしめると同時に、脱臭剤等を吸気口に保持しやすくして室内空気の清浄効果を高めたものである。【０００７】  即ち、可傾保持台は工事の必要なく、従来のように、送風筒を垂直下方に向けるよう天井に固定又は懸け下げ出来て、しかも送風筒の傾きを適宜変えて送風の向き方向を自在に変えることが出来、上方に垂直又は向きを変えて流れを作る時は、床面のいかなる場所にも自由に単に置くだけでよい。【０００８】  又、垂直又は傾斜した壁面にも取り付けが容易であることから、高さに応じた水平向きの還流空気も作り出して、ガラス戸の結露防止や押入れのかび防止ともなる。【０００９】  本考案は、脱臭，抗菌，浮遊塵埃除去等によりクリーンな空気を送り出して還流させ、室内空気を清浄にすることはもとより、芳香剤等を併用することにより、いやしの空間を現出することが出来る。
【考案の効果】
【００１０】  本考案は、冷暖房された室内温度を均一化する室内空気還流機を、天井，壁，床等あらゆる面に工事なしに固定又は設置できる可傾保持台に、可傾自在に保持して、送風の向きの方向付けを自在に変えることにより、室内空気を目的に応じて効果的に還流せしめる効果と同時に、脱臭剤等を吸気口に保持しやすくして空気清浄効果を高め、脱臭，抗菌，浮遊塵埃除去等によりクリーンな空気を送り出して還流させ、室内空気を清浄にする効果はもとより、芳香剤等を併用することにより、いやしの空間を現出することが出来る効果がある。
【考案を実施するための最良の形態】
【００１１】  以下図面を参照して、本考案に係る室内空気還流機を説明する。図１は本考案の実施例を示す斜視図で、可傾保持台（Ａ）は、台枠（１）に突設固定した一対の三角保持枠（２），（２）と当該三角保持枠の頂部に穿設した軸穴（３），（３）に挿通するねじ軸用の蝶ナット（４），（４）からなり、内部に送風機（５）を支持し、上面に送風筒（６）を載置保持した送風機枠（７）の側面に対象的に設けたねじ軸（８）（８）を、前記軸穴（３），（３）に挿通して蝶ナット（４），（４）で螺締することにより、送風筒（６）を有する送風機枠（７）を、可傾保持台（Ａ）に対して所望の角度に傾斜保持するようにしたものである。【００１２】  送風機枠（７）の下面には、上部枠（９ａ）と下部枠（９ｂ）の間の周囲壁と底面が、棕櫚等のろ過材からなり上面が開放される塵埃除去凾（９）を止め金（１０）で着脱自在に掛合せしめるもとし、内部には、臭気や浮遊塵埃を吸着する軽量の木炭粒等を充填するか、脱臭剤（１２）等を封入する棕櫚袋（１１）を収納する。棕櫚袋（１１）に封入する脱臭剤（１２）等は、空気浄化のための脱臭剤や抗菌剤又は空気汚染物質分解触媒等を入れ替え自在とする他、芳香剤とも入れ替えてマイナスイオン発生を加味したいやしの空間を現出することも出来る。【００１３】  本考案に於て、送風機枠（７）に載置保持した送風筒（６）の向きを、蝶ナット（４），（４）によって可傾保持台（Ａ）に対して垂直方向とする時、可傾保持台（Ａ）は、天井，壁，床等あらゆる面に懸架又は固定することによって、空気の流れの方向を垂直上向き，垂直下向き，右向き左向きの水平方向に向け得ることは勿論、その状態のまま、蝶ナットの緩緊によって送風筒（６）の向きを、自在に傾斜して保持出来るから、空気の流れの方向を多様な向きに方向ずけできる。【００１４】  特に、床面に置く時は、真上方向のみならず、あらゆる角度に向きをセッテング出来るので、室内の家具等の状態に制約されることなく送風機設置の位置決めが自在にしかも工事を伴わずに設置できて、室内空気の還流方向を自在にして循環をせしめ、上下温度差の無い均一な室内空気温度とすることが出来、従来のように、床面に向けて天井に下向きに設置するため、きれいに仕上げた天井を工事のために工作損傷することもなく、又、応接間など調度品をレイアウトした室内の天井に見栄えの悪い異物的なものが突設垂下されることもない。【００１５】  天井から下向きに送風される場合、送風機真下の位置では風が気になり、冬は体感的に寒く感じる場合もあるが、本願で、上向きにする場合は、上向きになる風が天井からの間接気流となるため殆ど風は気にならない。更には、床から天井への直進性送風流で出来る室内空気輪導が室内の温度むらを解消するが、床に設置する本願送風機は、一般に壁上部に取り付ける空調機器との位置関係の調整が容易であることから、空調機器の機能を効果的に活用促進することが出来ると共に、送風筒上方に噴霧された芳香剤等の粒子が、気流により拡散された自重で落下し、短時間で効果が促進される。【００１６】  送風機枠（７）の内部に支持した送風機（５）は、下面の空気取り入れ口から室内空気を吸い込んで送風筒（６）から送風して還流せしめるが、この場合、室内の塵埃その他の汚染空気が吸い込まれることになるが、送風機枠（７）の下面に止め金（１０）で着脱自在に掛合せしめてある塵埃除去凾（９）の周囲と底面の棕櫚等のろ過材に塵埃等がからみ取られ空気は濾過浄化され、塵埃除去凾（９）は適宜清掃する。【００１７】  又、塵埃除去凾（９）の内部には、臭気や浮遊塵埃を吸着する軽量の木炭粒等を充填するか、脱臭剤（１２）等を封入する棕櫚袋（１１）を収納するので、脱臭剤や抗菌剤又は空気汚染物質分解触媒等を入れ替え自在とする脱臭剤（１２）は、送風機（５）に吸い込む室内空気を強制的に浄化して室内に送り出す。なお、棕櫚袋（１１）は、棕櫚と限らず目の荒い布でも良く、前記可傾保持台（Ａ）と送風筒（６）及び送風機枠（７）の材質は限定するものではなく、木材その他プラチック等でも良い。【００１８】  本考案は、他の様々な室内機器との組み合わせ活用が可能であり、空調機器の機能活用で、冷暖房効果と省エネの促進の他、換気扇との組み合わせによる室内空気汚染低減の換気効果促進，空気清浄器と組み合わせて空気清浄促進，加湿器除湿器と組み合わせて加湿除湿効果促進，窓の結露低減，壁空気汚染物質分解光触媒の効果促進等に効果がある。
【図面の簡単な説明】
【００１９】
【図１】  本考案に係る全体の斜視図である。
【図２】  本考案に係る塵埃除去枠を掛合した送風機枠の側断面図である。
【図３】  本考案の傾斜保持した状態の側面図である。
【符号の説明】
【００２０】        １  台枠
２，２  三角保持枠
３，３  軸穴
４，４  蝶ナット
５  送風機
６  送風筒
７  送風機枠
８  ねじ軸
９  塵埃除去凾
１０  止め金
１１  棕櫚袋
１２  脱臭剤
Ａ  可傾保持台
【図１】
0003115265.tif 000003
【図２】
0003115265.tif 000004
【図３】
0003115265.tif 000005